(57)【要約】【課題】電子部品を内蔵した本体シャーシ１と、該本体シャーシ１に脱着操作可能に取り付けられた蓋体３とを具え、該蓋体３は、平板部と、該平板部の周囲に形成された側壁部33とを具え、該側壁部33によって覆われる本体シャーシ１の壁面10には、アンテナ５が印刷されている電子機器において、蓋体３を脱着することによるアンテナ５の損傷を防止する。【解決手段】本発明に係る電子機器において、本体シャーシ１の壁面10には、アンテナ５の近傍位置に、本体シャーシ１に蓋体３を装着するときに該蓋体３の側壁部33の先端部が摺接した後に通過すべき凸部12が形成されており、蓋体３の側壁部33の先端部が本体シャーシ１の凸部12に摺接した状態では、蓋体３の側壁部33の弾性変形によって、本体シャーシ１のアンテナ５の表面と、該表面と対向する蓋体３の側壁部33の内面30との間に、隙間が形成される。【選択図】図７
2014160896.tif 000002
【特許請求の範囲】
【請求項１】
電子部品を内蔵した本体シャーシと、該本体シャーシに凹設された収容室を覆って脱着操作可能に取り付けられた蓋体とを具え、該蓋体は、前記収容室を塞ぐ平板部と、該平板部の周囲に形成された側壁部とを具え、該側壁部によって覆われる本体シャーシの壁面には、アンテナが印刷されている電子機器において、
前記本体シャーシの壁面には、前記アンテナの近傍位置に、本体シャーシに蓋体を装着するときに該蓋体の側壁部の先端部が摺接した後に通過すべき凸部が形成されており、
前記蓋体の側壁部の先端部が前記本体シャーシの凸部に摺接した状態では、蓋体の側壁部の弾性変形によって、本体シャーシのアンテナの表面と、該表面と対向する蓋体の側壁部の内面との間に、隙間が形成されることを特徴とする、アンテナを具えた電子機器。
【請求項２】
前記蓋体の側壁部の先端部にはフック片が突設される一方、前記本体シャーシには、蓋体が本体シャーシに装着されたときに前記フック片が係脱可能に係合すべきフック受け部が凹設されており、前記本体シャーシの凸部は、本体シャーシに蓋体を装着するときの前記フック片の移動軌跡上に配置されている請求項１に記載の電子機器。
【請求項３】
前記本体シャーシの凸部は、前記アンテナと前記フック受け部との間に配置されている請求項２に記載の電子機器。
【請求項４】
前記蓋体は、その長手方向の一方の端縁に突設された係止片が本体シャーシに凹設された係止受け部に係合した状態で、該係止片を中心として回動することにより前記本体シャーシに装着され、該蓋体には、前記係止片を挟んで両側に形成されている左右の側壁部にそれぞれ、前記フック片が突設され、前記本体シャーシの壁面には、前記蓋体の少なくとも一方の側壁部によって覆われる位置に、前記アンテナと前記フック受け部が形成されている請求項２又は請求項３に記載の電子機器。
【発明の詳細な説明】
【技術分野】
【０００１】
本発明は、携帯電話機の如くアンテナを具えた電子機器に関するものである。
【背景技術】
【０００２】
従来、この種の電子機器は、電子部品を内蔵した本体シャーシと、該本体シャーシに凹設された電池収容室を覆って脱着操作可能に取り付けられた蓋体とを具え、本体シャーシにはディスプレイや回路基板等の電子部品が内蔵されると共に、通信のためのアンテナが設置されている。
この様な電子機器においては、前記アンテナを、本体シャーシの表面に印刷によって形成することが行なわれている(特許文献１、２)。
【０００３】
例えば、蓋体が、本体シャーシの電池収容室を塞ぐ平板部と、該平板部の周囲に形成された側壁部とを具えている電子機器においては、蓋体の側壁部によって覆われる本体シャーシの壁面に、アンテナが印刷されており、本体シャーシに蓋体を装着した状態では、該蓋体によってアンテナの表面が覆われている。
【先行技術文献】
【特許文献】
【０００４】
【特許文献１】特開２０１０−１６６３７９号公報
【特許文献２】特開２００９−１８８７５５号公報
【発明の概要】
【発明が解決しようとする課題】
【０００５】
しかしながら、蓋体の側壁部によって覆われる本体シャーシの壁面にアンテナが印刷されている電子機器においては、蓋体の脱着時に、蓋体の側壁部の内面が本体シャーシの壁面上を摺動することになるため、該側壁部の摺動によって印刷アンテナが傷付けられる虞があった。
【０００６】
そこで本発明の目的は、蓋体の側壁部によって覆われる本体シャーシの壁面にアンテナが印刷されている電子機器において、蓋体を脱着することによるアンテナの損傷を防止することである。
【課題を解決するための手段】
【０００７】
本発明に係る電子機器は、電子部品を内蔵した本体シャーシ(１)と、該本体シャーシ(１)に凹設された収容室(15)を覆って脱着操作可能に取り付けられた蓋体(３)とを具え、該蓋体(３)は、前記収容室(15)を塞ぐ平板部(31)と、該平板部(31)の周囲に形成された側壁部(33)とを具え、蓋体(３)の側壁部(33)によって覆われる本体シャーシ(１)の壁面(10)には、アンテナ(５)が印刷されている。
【０００８】
ここで、前記本体シャーシ(１)の壁面(10)には、前記アンテナ(５)の近傍位置に、本体シャーシ(１)に蓋体(３)を装着するときに該蓋体(３)の側壁部(33)の先端部が摺接した後に通過すべき凸部(12)が形成されている。
そして、前記蓋体(３)の側壁部(33)の先端部が前記本体シャーシ(１)の凸部(12)に摺接した状態では、蓋体(３)の側壁部(33)の弾性変形によって、該本体シャーシ(１)のアンテナ(５)の表面と、該表面と対向する蓋体(３)の側壁部(33)の内面(30)との間に、隙間が形成される。
【０００９】
上記本発明の電子機器においては、本体シャーシ(１)に蓋体(３)を装着するとき、先ず、蓋体(３)の側壁部(33)の先端部が本体シャーシ(１)の壁面(10)の凸部(12)に当接し、続いて該凸部(12)の表面上を摺動した後、該凸部(12)を通過し、この時点で蓋体(３)の装着が完了することになる。
【００１０】
ここで、蓋体(３)の側壁部(33)の先端部が本体シャーシ(１)の凸部(12)の表面上を摺動する過程では、蓋体(３)の側壁部(33)が外側へ弾性変形して、該本体シャーシ(１)のアンテナ(５)の表面と、該表面と対向する蓋体(３)の側壁部(33)の内面(30)との間に、隙間が形成されるので、蓋体(３)の側壁部(33)の内面(30)が本体シャーシ(１)のアンテナ(５)の表面上を摺動することはなく、よってアンテナ(５)が損傷を受けることはない。
【００１１】
具体的態様において、前記蓋体(３)の側壁部(33)の先端部にはフック片(35)が突設される一方、前記本体シャーシ(１)には、蓋体(３)が本体シャーシ(１)に装着されたときに前記フック片(35)が係脱可能に係合すべきフック受け部(11)が凹設されており、前記本体シャーシ(１)の凸部(12)は、本体シャーシ(１)に蓋体(３)を装着するときの前記フック片(35)の移動軌跡上に配置されている。
【００１２】
該具体的態様によれば、本体シャーシ(１)に背面カバーパネル(２)を装着するとき、先ず、蓋体(３)のフック片(35)が本体シャーシ(１)の壁面(10)の凸部(12)に当接し、続いて該凸部(12)の表面上を摺動した後、該凸部(12)を通過し、その直後にフック受け部(11)に係合することによって、蓋体(３)の装着が完了することになる。
【００１３】
ここで、蓋体(３)のフック片(35)が本体シャーシ(１)の凸部(12)の表面上を摺動する過程では、蓋体(３)の側壁部(33)が外側へ弾性変形して、該本体シャーシ(１)のアンテナ(５)の表面と、該表面と対向する蓋体(３)の側壁部(33)の内面(30)との間には、隙間が形成されるので、蓋体(３)の側壁部(33)の内面(30)が本体シャーシ(１)のアンテナ(５)の表面上を摺動することはなく、よってアンテナ(５)が損傷を受けることはない。
【００１４】
更に具体的な態様において、前記蓋体(３)は、その長手方向の一方の端縁に突設された係止片(34)が本体シャーシ(１)に凹設された係止受け部(13)に係合した状態で、該係止片(34)を中心として回動することにより前記本体シャーシ(１)に装着され、該蓋体(３)には、前記係止片(34)を挟んで両側に形成されている左右の側壁部(33)(33)にそれぞれ、前記フック片(35)が突設され、前記本体シャーシ(１)の壁面(10)には、前記蓋体(３)の少なくとも一方の側壁部(33)によって覆われる位置に、前記アンテナ(５)と前記フック受け部(11)が形成されている。
【００１５】
該具体的態様によれば、蓋体(３)が係止片(34)を中心として回動することにより本体シャーシ(１)に装着される過程で、該蓋体(３)の左右の側壁部(33)(33)が本体シャーシ(１)の壁面(10)に沿って移動することになるが、蓋体(３)のフック片(35)が本体シャーシ(１)の凸部(12)の表面上を摺動する過程で、蓋体(３)の側壁部(33)が外側へ弾性変形して、該本体シャーシ(１)のアンテナ(５)の表面と、該表面と対向する蓋体(３)の側壁部(33)の内面(30)との間には、隙間が形成されるので、蓋体(３)の側壁部(33)の内面(30)が本体シャーシ(１)のアンテナ(５)の表面上を摺動することはなく、よってアンテナ(５)が損傷を受けることはない。
【発明の効果】
【００１６】
本発明に係る電子機器によれば、本体シャーシの壁面に印刷されているアンテナの損傷を効果的に防止することが出来る。
【図面の簡単な説明】
【００１７】
【図１】図１は、本発明の一実施形態である通信端末機の前面を示す斜視図である。
【図２】図２は、該通信端末機の背面を示す斜視図である。
【図３】図３は、該通信端末機において本体シャーシから蓋体を取り外した状態を背面側から見た斜視図である。
【図４】図４は、該通信端末機において本体シャーシから蓋体を取り外した状態を前面側から見た斜視図である。
【図５】図５は、該通信端末機の要部を示す斜視図である。
【図６】図６は、蓋体が取り外された本体シャーシの背面図である。
【図７】図７は、図６のＡ−Ａ線に沿う断面での動作説明図である。
【図８】図８は、図６のＢ−Ｂ線に沿う断面での動作説明図である。
【発明を実施するための形態】
【００１８】
以下、本発明を通信端末機に実施した形態につき、図面に沿って具体的に説明する。
本発明の一実施形態である通信端末機は、図１及び図２に示す如く、扁平直方体状の本体シャーシ(１)にタッチ操作ユニット(４)を内蔵し、該タッチ操作ユニット(４)のタッチ操作面(41)を本体シャーシ(１)の前面から露出させている。
【００１９】
又、本体シャーシ(１)の背面には、該背面を覆って、図２に示す如く背面カバーパネル(２)が固定されると共に、後述する電池収容室(15)を塞ぐ合成樹脂製の蓋体(３)が、脱着操作可能に取り付けられている。
【００２０】
蓋体(３)は、図３及び図４に示す如く、略矩形の平板部(31)と、該平板部(31)の周囲３辺に突設された３つの側壁部(33)(33)(32)とを具えている。該３つの側壁部(33)(33)(32)はそれぞれ、平板部(31)の端縁から本体シャーシ(１)側へ湾曲する様に突出しており、平板部(31)に対して傾斜する部分と略直交する部分とを有している。
【００２１】
又、蓋体(３)には、３つの側壁部(33)(33)(32)の端面を形成する先端部にそれぞれ、複数のフック片(35)(35)(36)が内向きに突設されると共に、側壁部が突設されていない平板部(31)の端縁に、複数の係止片(34)がそれぞれＬ字状に突設されている。
【００２２】
一方、本体シャーシ(１)には、蓋体(３)の複数の係止片(34)がそれぞれ係合すべき複数の係止受け部(13)が凹設されると共に、蓋体(３)の複数のフック片(35)(35)(36)がそれぞれ係脱可能に係合すべき複数のフック受け部(11)(11)(14)が凹設されている。
【００２３】
又、本体シャーシ(１)には、電池(６)が収容されるべき電池収容室(15)を包囲して、蓋体(３)の３つの側壁部(33)(33)(32)によって覆われるべき３つの壁面(10)(10)(16)が、それぞれ傾斜面若しくは湾曲面に形成されている。
そして、該壁面(10)(10)(16)には無線通信のための複数のアンテナ(５)(51)(52)(53)が、印刷によってそれぞれ帯状に形成されている。これらのアンテナ(５)(51)(52)(53)は、本体シャーシ(１)に蓋体(３)を装着することにより、該蓋体(３)の側壁部(33)(33)(32)によって覆われることになる。
【００２４】
上記フック受け部(11)は、上記複数のアンテナ(５)(51)(52)(53)の内、電池収容室(15)の左右両側に形成されている複数のアンテナ(５)(51)(52)の近傍位置にそれぞれ形成されており、図５に示す如くフック受け部(11)よりも電池収容室(15)側に該複数のアンテナ(５)(51)(52)が位置している。
【００２５】
更に、上記３つの壁面(10)(10)(16)の内、電池収容室(15)の両側に形成されている壁面(10)(10)には、図５に示す如くアンテナ(５)(51)(52)のそれぞれに対応させて、アンテナ(５)(51)(52)よりもフック受け部(11)側に、アンテナ(５)(51)(52)の表面よりも高く突出する凸部(12)が形成されている。
【００２６】
上記通信端末機において、本体シャーシ(１)に蓋体(３)を装着する場合は、先ず蓋体(３)の複数の係止片(34)を本体シャーシ(１)の複数の係止受け部(13)にそれぞれ係合させた状態で、係止片(34)を中心として本体シャーシ(１)側へ蓋体(３)を回動させる。そして、蓋体(３)を本体シャーシ(１)に向かって押圧することにより、蓋体(３)の複数のフック片(35)(36)を本体シャーシ(１)の複数のフック受け部(11)(14)にそれぞれ係合させる。
これによって蓋体(３)が本体シャーシ(１)に装着されることになる。
【００２７】
蓋体(３)を本体シャーシ(１)に装着する過程では、先ず図７(ａ)に示す如く、蓋体(３)のフック片(35)が本体シャーシ(１)の凸部(12)の表面に当接する。
そして、蓋体(３)を本体シャーシ(１)側へ押し込むことによって、図７(ｂ)の如く、蓋体(３)の側壁部(33)が外側へ弾性変形して、フック片(35)が本体シャーシ(１)のフック受け部(11)の表面上を摺動する。これによって、本体シャーシ(１)のアンテナ(５)(51)(52)の表面と蓋体(３)の側壁部(33)の内面(30)との間に隙間が形成されることになる。
【００２８】
続いて、蓋体(３)を更に本体シャーシ(１)側へ押し込むと、図７(ｃ)の如く、蓋体(３)の側壁部(33)が弾性復帰して、フック片(35)が本体シャーシ(１)のフック受け部(11)へ嵌まり込むと同時に、蓋体(３)の側壁部(33)が本体シャーシ(１)のアンテナ(５)(51)(52)を覆うことになる。
この様にして、蓋体(３)が本体シャーシ(１)に装着されることになる。
【００２９】
又、蓋体(３)を本体シャーシ(１)に装着する過程では、蓋体(３)のフック片(35)と本体シャーシ(１)の凸部(12)から離れた位置においても、図８(ａ)(ｂ)に示す如く蓋体(３)の側壁部(33)の弾性変形によって、本体シャーシ(１)のアンテナ(５)(51)(52)の表面と蓋体(３)の側壁部(33)の内面(30)との間に隙間が形成され、続いて、図８(ｃ)の如く蓋体(３)の側壁部(33)が弾性復帰して、本体シャーシ(１)のアンテナ(５)(51)(52)を覆うことになる。
【００３０】
従って、本体シャーシ(１)に蓋体(３)を装着する過程で、蓋体(３)の側壁部(33)の内面(30)やフック片(35)が、本体シャーシ(１)のアンテナ(５)(51)(52)の表面に摺接してアンテナ(５)(51)(52)を傷付けることはない。
【００３１】
本体シャーシ(１)から蓋体(３)を取り外す場合、蓋体(３)の複数のフック片(35)(36)を本体シャーシ(１)の複数のフック受け部(11)(14)から離脱させつつ、蓋体(３)を本体シャーシ(１)から離間させる方向に回動させる。
【００３２】
これによって、蓋体(３)は装着時とは逆の軌跡を辿ることになり、装着時と同様に、蓋体(３)のフック片(35)が本体シャーシ(１)の凸部(12)の表面上を摺動することにより、本体シャーシ(１)のアンテナ(５)(51)(52)の表面と蓋体(３)の側壁部(33)の内面(30)との間に隙間が形成され、これによって、アンテナ(５)(51)(52)の損傷が防止される。
【００３３】
尚、本体シャーシ(１)の電池収容室(15)の下方に形成されている壁面(16)のアンテナ(53)については、蓋体(３)を本体シャーシ(１)に脱着する過程で、蓋体(３)の側壁部(32)の端部が本体シャーシ(１)のアンテナ(53)の表面を迂回する様に、蓋体(３)の移動軌跡が規定されるので、蓋体(３)の側壁部(32)の内面や端部が本体シャーシ(１)のアンテナ(53)を傷付ける虞は低い。
【００３４】
本発明の各部構成は上記実施の形態に限らず、特許請求の範囲に記載の技術的範囲内で種々の変形が可能である。例えば、本体シャーシ(１)の電池収容室(15)の下方に形成されている壁面(16)上のアンテナ(53)についても、他のアンテナ(５)(51)(52)と同様に、本体シャーシ(１)の壁面(16)に凸部を形成することによって、アンテナ(53)の損傷を確実に防止することが出来る。
【００３５】
又、本体シャーシ(１)のアンテナ(５)(51)(52)(53)がメッキやテープ等の保護層で覆われている構成においても、本発明の実施により、アンテナ(５)(51)(52)(53)の損傷をより確実に防止することが出来る。
【符号の説明】
【００３６】
(１)  本体シャーシ
(10)  壁面
(11)  フック受け部
(12)  凸部
(３)  蓋体
(30)  内面
(31)  平板部
(32)  側壁部
(33)  側壁部
(35)  フック片
(５)  アンテナ
(51)  アンテナ
(52)  アンテナ
【図１】
2014160896.tif 000003
【図２】
2014160896.tif 000004
【図３】
2014160896.tif 000005
【図４】
2014160896.tif 000006
【図５】
2014160896.tif 000007
【図６】
2014160896.tif 000008
【図７】
2014160896.tif 000009
【図８】
2014160896.tif 000010